(57)【要約】  方法、システム、およびデバイスが、ワイヤレス通信に関して説明される。一態様において、ワイヤレス通信のための方法は、第1のワイヤレスデバイスによって、時間の期間にわたってステーションからビームフォーミング情報を受信するステップであって、ビームフォーミング情報は、フィードバック信号対雑音比(SNR)値および圧縮されたフィードバック行列を含む、受信するステップを含む。この方法は、受信されたフィードバックSNR値および受信された圧縮されたフィードバック行列に少なくとも部分的に基づいてステーションの1つまたは複数のSNR勾配メトリックを判定するステップをも含む。
2018530946.tif 000002
【特許請求の範囲】
【請求項１】
第1のワイヤレスデバイスによって、時間の期間にわたってステーションからビームフォーミング情報を受信するステップであって、前記ビームフォーミング情報は、フィードバック信号対雑音比(SNR)値および圧縮されたフィードバック行列を含む、ステップと、
前記受信されたフィードバックSNR値および前記受信された圧縮されたフィードバック行列に少なくとも部分的に基づいて前記ステーションの1つまたは複数のSNR勾配メトリックを判定するステップと
を含む、ワイヤレス通信のための方法。
【請求項２】
前記1つまたは複数のSNR勾配メトリックに少なくとも部分的に基づいてドップラ勾配メトリックを判定するステップ
をさらに含む、請求項1に記載の方法。
【請求項３】
前記ドップラ勾配メトリックの分類に少なくとも部分的に基づいて前記ステーションの変調およびコーディング方式をセットするステップ
をさらに含む、請求項2に記載の方法。
【請求項４】
前記ドップラ勾配メトリックの分類に少なくとも部分的に基づいて前記ステーションのサウンディング手順インターバルを変更するステップ
をさらに含む、請求項2に記載の方法。
【請求項５】
前記ドップラ勾配メトリックの分類に少なくとも部分的に基づいて前記ステーションのマルチユーザ送信グループを形成するステップ
をさらに含む、請求項2に記載の方法。
【請求項６】
前記ステーションの前記1つまたは複数のSNR勾配メトリックを判定するステップは、特定のタイムインターバルに関連する複数のSNR勾配値の平均をとるステップを含む、請求項1に記載の方法。
【請求項７】
前記ステーションの前記1つまたは複数のSNR勾配メトリックを判定するステップは、シングルユーザ送信に関連するシングルユーザSNR勾配メトリックを判定するステップを含む、請求項1に記載の方法。
【請求項８】
前記ステーションの前記1つまたは複数のSNR勾配メトリックを判定するステップは、マルチユーザ送信に関連するマルチユーザSNR勾配メトリックを判定するステップを含む、請求項1に記載の方法。
【請求項９】
前記ステーションの前記1つまたは複数のSNR勾配メトリックを判定するステップは、異なる個数のステーションに関連するマルチユーザ送信の異なるマルチユーザSNR勾配メトリックを判定するステップを含む、請求項1に記載の方法。
【請求項１０】
前記時間の期間にわたって受信される前記ステーションからの前記ビームフォーミング情報は、前記ステーションに関連する複数のサウンディング手順に関連する、請求項1に記載の方法。
【請求項１１】
前記時間の期間にわたって受信される前記ステーションからの前記ビームフォーミング情報を記憶するステップ
をさらに含む、請求項1に記載の方法。
【請求項１２】
時間の期間にわたってステーションからビームフォーミング情報を受信するトランシーバであって、前記ビームフォーミング情報は、フィードバック信号対雑音比(SNR)値および圧縮されたフィードバック行列を含む、トランシーバと、
前記受信されたフィードバックSNR値および前記受信された圧縮されたフィードバック行列に少なくとも部分的に基づいて前記ステーションの1つまたは複数のSNR勾配メトリックを判定するSNR勾配推定器と
を含む通信デバイス。
【請求項１３】
前記1つまたは複数のSNR勾配メトリックに少なくとも部分的に基づいてドップラ勾配メトリックを判定するドップラ勾配推定器
をさらに含む、請求項12に記載の通信デバイス。
【請求項１４】
前記ドップラ勾配メトリックの分類に少なくとも部分的に基づいて前記ステーションの変調およびコーディング方式をセットする変調およびコーディング方式マネージャ
をさらに含む、請求項13に記載の通信デバイス。
【請求項１５】
前記ドップラ勾配メトリックの分類に少なくとも部分的に基づいて前記ステーションのサウンディング手順インターバルを変更するサウンディングマネージャ
をさらに含む、請求項13に記載の通信デバイス。
【請求項１６】
前記ドップラ勾配メトリックの分類に少なくとも部分的に基づいて前記ステーションのマルチユーザ送信グループを形成するマルチユーザグループ化マネージャ
をさらに含む、請求項13に記載の通信デバイス。
【請求項１７】
前記ステーションの前記1つまたは複数のSNR勾配メトリックを判定する前記SNR勾配推定器は、さらに、特定のタイムインターバルに関連する複数のSNR勾配値の平均をとるためのものである、請求項12に記載の通信デバイス。
【請求項１８】
前記ステーションの前記1つまたは複数のSNR勾配メトリックを判定する前記SNR勾配推定器は、さらに、シングルユーザ送信に関連するシングルユーザSNR勾配メトリックを判定するためのものである、請求項12に記載の通信デバイス。
【請求項１９】
前記ステーションの前記1つまたは複数のSNR勾配メトリックを判定する前記SNR勾配推定器は、さらに、マルチユーザ送信に関連するマルチユーザSNR勾配メトリックを判定するためのものである、請求項12に記載の通信デバイス。
【請求項２０】
前記ステーションの前記1つまたは複数のSNR勾配メトリックを判定する前記SNR勾配推定器は、さらに、異なる個数のステーションに関連するマルチユーザ送信の異なるマルチユーザSNR勾配メトリックを判定するためのものである、請求項12に記載の通信デバイス。
【請求項２１】
前記時間の期間にわたって受信される前記ステーションからの前記ビームフォーミング情報は、前記ステーションに関連する複数のサウンディング手順に関連する、請求項12に記載の通信デバイス。
【請求項２２】
前記時間の期間にわたって受信される前記ステーションからの前記ビームフォーミング情報を記憶するメモリ
をさらに含む、請求項12に記載の通信デバイス。
【請求項２３】
時間の期間にわたってステーションからビームフォーミング情報を受信するための手段であって、前記ビームフォーミング情報は、フィードバック信号対雑音比(SNR)値および圧縮されたフィードバック行列を含む、手段と、
前記受信されたフィードバックSNR値および前記受信された圧縮されたフィードバック行列に少なくとも部分的に基づいて前記ステーションの1つまたは複数のSNR勾配メトリックを判定するための手段と
を含む、通信デバイス。
【請求項２４】
前記1つまたは複数のSNR勾配メトリックに少なくとも部分的に基づいてドップラ勾配メトリックを判定するための手段
をさらに含む、請求項23に記載の通信デバイス。
【請求項２５】
前記ドップラ勾配メトリックの分類に少なくとも部分的に基づいて前記ステーションの変調およびコーディング方式をセットするための手段
をさらに含む、請求項24に記載の通信デバイス。
【請求項２６】
前記ドップラ勾配メトリックの分類に少なくとも部分的に基づいて前記ステーションのサウンディング手順インターバルを変更するための手段
をさらに含む、請求項24に記載の通信デバイス。
【請求項２７】
前記ドップラ勾配メトリックの分類に少なくとも部分的に基づいて前記ステーションのマルチユーザ送信グループを形成するための手段
をさらに含む、請求項24に記載の通信デバイス。
【請求項２８】
前記ステーションの前記1つまたは複数のSNR勾配メトリックを判定するための前記手段は、特定のタイムインターバルに関連する複数のSNR勾配値の平均をとるための手段を含む、請求項23に記載の通信デバイス。
【請求項２９】
ワイヤレス通信のためのコードを記憶する非一時的コンピュータ可読記憶媒体であって、前記コードは、少なくとも1つの通信デバイスに、
時間の期間にわたってステーションからビームフォーミング情報を受信させ、前記ビームフォーミング情報は、フィードバック信号対雑音比(SNR)値および圧縮されたフィードバック行列を含み、
前記受信されたフィードバックSNR値および前記受信された圧縮されたフィードバック行列に少なくとも部分的に基づいて前記ステーションの1つまたは複数のSNR勾配メトリックを判定させる
ために実行可能な命令を含む、非一時的コンピュータ可読記憶媒体。
【請求項３０】
前記コードは、前記少なくとも1つの通信デバイスに、
前記1つまたは複数のSNR勾配メトリックに少なくとも部分的に基づいてドップラ勾配メトリックを判定させる
ために実行可能な命令をさらに含む、請求項29に記載の非一時的コンピュータ可読記憶媒体。
【発明の詳細な説明】
【技術分野】
【０００１】
相互参照
本特許出願は、そのそれぞれが本願の譲受人に譲渡された、Elsherif他による2015年12月14日に出願した米国特許出願第14/968,321号、名称「Doppler Profile Estimation Using Compressed Beamforming Information」およびElsherif他による2015年9月1日に出願した米国仮特許出願第62/212,895号、名称「Doppler Profile Estimation using Compressed Beamforming Information」の優先権を主張するものである。
【０００２】
本開示は、たとえば、ワイヤレス通信システムに関し、より具体的には、圧縮されたビームフォーミング情報を使用してドップラプロファイル(Doppler profile)を推定することに関する。
【背景技術】
【０００３】
ワイヤレス通信システムは、音声、ビデオ、パケットデータ、メッセージング、ブロードキャスト、その他などの様々なタイプの通信コンテンツを提供するために広く展開されている。これらのシステムは、使用可能なシステムリソース(たとえば、時間、周波数、および電力)を共有することによって複数のユーザとの通信をサポートすることのできる多元接続システムである場合がある。ワイヤレスローカルエリアネットワーク(WLAN)が、多元接続システムの例であり、広く展開され、使用されている。多元接続システムの他の例は、符号分割多元接続(CDMA)システム、時分割多元接続(TDMA)システム、周波数分割多元接続(FDMA)システム、および直交周波数分割多元接続(OFDMA)システムを含むことができる。
【０００４】
Wi-Fi(IEEE 802.11)ネットワークなどのWLANは、1つまたは複数のステーション(STA)またはモバイルデバイスと通信することができるアクセスポイント(AP)を含むことができる。いくつかの場合に、APは、マルチユーザMIMO(MU-MIMO)伝送において複数のSTAと同時に通信することができる。APは、MU-MIMOグループにSTAのグループを割り当て、MU-MIMOグループに割り当てられたSTAのグループにMIMO送信を送る。日和見スケジューリングを用いて、APは、たとえばトラフィックの可用性、変調およびコーディング方式(MCS)互換性などに基づいて、すべてのサウンディング期間中にMU-MIMOグループに割り当てられたSTAを変更することができる。しかし、APと所与のSTAとの間のワイヤレスチャネルの不正な査定は、不適切なMCS判定、非効率的なMU-MIMOグループ化などにつながる可能性がある。
【発明の概要】
【課題を解決するための手段】
【０００５】
この説明は、ビームフォーミング情報(たとえば、圧縮されたビームフォーミング情報およびいくつかの場合に圧縮されていないビームフォーミング情報)を使用してドップラプロファイルを推定する技法を開示する。これらの技法によれば、ワイヤレス通信デバイス(たとえば、APまたは同様のデバイス)は、ある時間の期間にわたってSTAから圧縮されたビームフォーミング情報を受信する。たとえば、ワイヤレス通信デバイスは、連続するサウンディングインターバル中にチャネルサウンディング手順を実行し、複数のSTA(たとえば、いくつかの実施態様では2つから8つのSTA)から圧縮されたビームフォーミング情報を受信する。チャネルサウンディングに応答する各STAに関連する圧縮されたビームフォーミング情報は、フィードバック信号対雑音比(SNR)値および圧縮されたフィードバック行列を含む。
【０００６】
ワイヤレス通信デバイスは、受信されたフィードバックSNR値および受信された圧縮されたフィードバック行列(たとえば、STAに関連する複数のチャネルサウンディング手順からの)に少なくとも部分的に基づいて、STAの1つまたは複数のSNR勾配メトリック(SNR gradient metric)を判定する。さらに、ワイヤレス通信デバイスは、SNR勾配メトリックに少なくとも部分的に基づいて、ドップラ勾配メトリック(Doppler gradient metric)を判定する。ワイヤレス通信デバイスは、複数のSTAのうちのいくつかまたはすべてのSNR勾配メトリックおよびドップラ勾配メトリックを同様に判定する。
【０００７】
ワイヤレス通信のための方法が説明される。いくつかの例において、この方法は、第1のワイヤレスデバイスによって、時間の期間にわたってステーションからビームフォーミング情報を受信するステップであって、ビームフォーミング情報は、フィードバック信号対雑音比(SNR)値および圧縮されたフィードバック行列を含む、受信するステップと、受信されたフィードバックSNR値および受信された圧縮されたフィードバック行列に少なくとも部分的に基づいてステーションの1つまたは複数のSNR勾配メトリックを判定するステップとを含む。
【０００８】
通信デバイスが説明される。いくつかの例において、この通信デバイスは、時間の期間にわたってステーションからビームフォーミング情報を受信するトランシーバであって、ビームフォーミング情報は、フィードバック信号対雑音比(SNR)値および圧縮されたフィードバック行列を含む、トランシーバと、受信されたフィードバックSNR値および受信された圧縮されたフィードバック行列に少なくとも部分的に基づいてステーションの1つまたは複数のSNR勾配メトリックを判定するSNR勾配推定器とを含む。
【０００９】
別の通信デバイスは、時間の期間にわたってステーションからビームフォーミング情報を受信するための手段であって、ビームフォーミング情報は、フィードバック信号対雑音比(SNR)値および圧縮されたフィードバック行列を含む、受信するための手段と、受信されたフィードバックSNR値および受信された圧縮されたフィードバック行列に少なくとも部分的に基づいてステーションの1つまたは複数のSNR勾配メトリックを判定するための手段とを含む。
【００１０】
ワイヤレス通信のためのコードを記憶する非一時的コンピュータ可読媒体が説明される。非一時的コンピュータ可読媒体のコードは、少なくとも1つの通信デバイスに、時間の期間にわたってステーションからビームフォーミング情報を受信させ、ビームフォーミング情報は、フィードバック信号対雑音比(SNR)値および圧縮されたフィードバック行列を含み、受信されたフィードバックSNR値および受信された圧縮されたフィードバック行列に少なくとも部分的に基づいてステーションの1つまたは複数のSNR勾配メトリックを判定させるために実行可能な命令を含む。
【００１１】
上で説明した方法、通信デバイス、および非一時的コンピュータ可読媒体に関して、ドップラ勾配メトリックは、1つまたは複数のSNR勾配メトリックに少なくとも部分的に基づいて判定され得る。ステーションの変調およびコーディング方式は、ドップラ勾配メトリックの分類に少なくとも部分的に基づいてセットされ得る。ステーションのサウンディング手順インターバルは、ドップラ勾配メトリックの分類に少なくとも部分的に基づいて変更され得る。ステーションのマルチユーザ送信グループは、ドップラ勾配メトリックの分類に少なくとも部分的に基づいて判定され得る。
【００１２】
ステーションの1つまたは複数のSNR勾配メトリックを判定するステップは、特定のタイムインターバルに関連する複数のSNR勾配値の平均をとるステップを含むことができる。ステーションの1つまたは複数のSNR勾配メトリックを判定するステップは、シングルユーザ送信に関連するシングルユーザSNR勾配メトリックを判定するステップを含むことができる。ステーションの1つまたは複数のSNR勾配メトリックを判定するステップは、マルチユーザ送信に関連するマルチユーザSNR勾配メトリックを判定するステップを含むことができる。ステーションの1つまたは複数のSNR勾配メトリックを判定するステップは、異なる個数のステーションに関連するマルチユーザ送信の異なるマルチユーザSNR勾配メトリックを判定するステップを含むことができる。
【００１３】
時間の期間にわたって受信されるステーションからのビームフォーミング情報は、ステーションに関連する複数のサウンディング手順に関連することができる。時間の期間にわたって受信されるステーションからのビームフォーミング情報は、記憶され得る。
【００１４】
説明されるシステム、方法、デバイス、またはコンピュータ可読媒体の適用可能性のさらなる範囲は、以下の詳細な説明、特許請求の範囲、および図面から明白になる。詳細な説明および特定の例は、例としてのみ与えられ、説明の範囲内の様々な変更および修正は、当業者に明白になる。
【００１５】
本発明の性質および利点のさらなる理解が、以下の図面を参照することによって実現され得る。添付の図において、同様の構成要素または特徴が、同一の参照ラベルを有する場合がある。さらに、同一タイプの様々な構成要素が、参照ラベルにダッシュと同様の構成要素の間で区別する第2のラベルとを続けることによって区別される場合がある。第1の参照ラベルだけが本明細書で使用される場合に、その説明は、第2の参照ラベルにかかわりなく、同一の第1の参照ラベルを有する同様の構成要素のすべてに適用可能である。
【図面の簡単な説明】
【００１６】
【図１】本開示の様々な態様による、ドップラプロファイルを推定するのに圧縮されたビームフォーミング情報を使用することをサポートする、WLANなどのワイヤレス通信システムの例を示す図である。
【図２】本開示の様々な態様による、ビームフォーマ(beamformer)ワイヤレスデバイスがビームフォーミ(beamformee)ワイヤレスデバイスに関連するSNR勾配メトリックを判定する例のワイヤレス通信シナリオを示す図である。
【図３Ａ】本開示の様々な態様による、STAから圧縮されたビームフォーミング情報を受信し、SNR勾配メトリックおよびドップラ勾配メトリックを判定するのに受信された圧縮されたビームフォーミング情報を使用するAPの例を示すブロック図である。
【図３Ｂ】本開示の様々な態様による、STAから圧縮されたビームフォーミング情報を受信し、SNR勾配メトリックおよびドップラ勾配メトリックを判定するのに受信された圧縮されたビームフォーミング情報を使用するAPの例を示すブロック図である。
【図４Ａ】本開示の様々な態様による、ドップラプロファイルを推定するのに圧縮されたビームフォーミング情報を使用することをサポートするAPの例を示すブロック図である。
【図４Ｂ】本開示の様々な態様による、ドップラプロファイルを推定するのに圧縮されたビームフォーミング情報を使用することをサポートするAPの例を示すブロック図である。
【図５】本開示の様々な態様による、ドップラプロファイルを推定するのに圧縮されたビームフォーミング情報を使用する方法の例を示す流れ図である。
【発明を実施するための形態】
【００１７】
本開示の態様によれば、アクセスポイント(AP)などのワイヤレス通信デバイスは、ビームフォーミング情報を使用して、ステーション(STA)などの他のデバイスのドップラプロファイルを推定する。STAのドップラプロファイルは、様々なマルチプルインプットマルチプルアウトプット(MIMO)動作で使用される。APは、複数のSTAからある時間の期間にわたってビームフォーミング情報(たとえば、圧縮されたビームフォーミング情報およびいくつかの場合に圧縮されていないビームフォーミング情報)を受信する。たとえば、APは、連続するサウンディングインターバル中にマルチユーザチャネルサウンディング手順およびシングルユーザチャネルサウンディング手順を実行し、複数のSTAから圧縮されたビームフォーミング情報を受信する。APは、それぞれのSTAの時間の期間にわたって受信された圧縮されたビームフォーミング情報に少なくとも部分的に基づいて、各STAのSNR勾配メトリックを判定する。これに関して、APは、少数のチャネルサウンディング手順または数百のチャネルサウンディング手順からの圧縮されたビームフォーミング情報を使用する。
【００１８】
いくつかの例では、APは、各STAに関連するビームフォーミングステアリング行列を判定する。ビームフォーミングステアリング行列は、受信された圧縮されたビームフォーミング情報に少なくとも部分的に基づき、それぞれのSTAのSNR勾配メトリックを判定するのに使用される。SNR勾配メトリックは、ドップラプロファイルと各STAのワイヤレスチャネルがどれほど速くまたは遅く変化するのかに関する指示をAPに提供する。これに関して、APは、SNR勾配メトリックに少なくとも部分的に基づいてそれぞれのSTAのドップラ勾配メトリックを判定する。
【００１９】
いくつかの例によれば、APは、ドップラ勾配メトリックの分類に少なくとも部分的に基づいて特定のステーションの変調およびコーディング方式(MCS)をセットする。これに関して、ドップラ勾配メトリックは、特定のSTAのワイヤレスチャネルがどのように変化する(または変化しない)のかに関する予測洞察をAPに提供する。この予測洞察は、そのSTAに関する適切なMCSを判定し、セットするための情報をAPに有利に提供する。他の例では、APは、ドップラ勾配メトリックの分類に少なくとも部分的に基づいて特定のSTA(および/またはSTAのグループ)のサウンディング手順インターバルを変更する。また、APは、STAのドップラ勾配メトリックに少なくとも部分的に基づいてマルチユーザ送信グループを形成する。
【００２０】
MSCをセットする純粋に反応性の手法と考えられるパケット誤り率(PER)ヒストリ、サウンディングインターバルの査定、または他のMIMO動作の判定は、頻繁に変化するワイヤレスチャネルの完全な実態を提供しない。しかし、本明細書で説明されるSNR勾配メトリック技法およびドップラ勾配メトリック技法は、単独でまたはPERヒストリと組み合わされてのいずれかで、APと特定のSTAとの間のワイヤレスチャネルの洞察に満ちた正確な査定をもたらす。
【００２１】
以下の説明は、例を提供し、特許請求の範囲で示される範囲、適用可能性、または例を限定しない。本開示の範囲から逸脱せずに、議論される要素の機能および配置において変更が行われ得る。様々な例は、必要に応じて、様々な手順または構成要素を省略し、置換し、または追加することができる。たとえば、説明される方法は、説明されるものとは異なる順序で実行され得、様々なステップが、追加され、省略され、または組み合わされ得る。また、いくつかの例に関して説明する特徴は、他の例において組み合わされ得る。
【００２２】
まず図1を参照すると、ブロック図が、本開示の様々な態様による、ワイヤレスローカルエリアネットワーク(WLAN)100の例を示す。WLAN 100は、アクセスポイント(AP)105と、STA-1からSTA-7というラベルを付けられたSTA 110とを含む。STA 110は、モバイルハンドセット、タブレットコンピュータ、携帯情報端末(PDA)、他のハンドヘルドデバイス、ネットブック、ノートブックコンピュータ、タブレットコンピュータ、ラップトップ、デスクトップコンピュータ、ディスプレイデバイス(たとえば、TV、コンピュータモニタなど)、プリンタ、その他とすることができる。1つのAP 105だけが図示されているが、WLAN 100は、その代わりに複数のAP 105を有することができる。STA 110は、移動局(MS)、モバイルデバイス、アクセス端末(AT)、ユーザ機器(UE)、加入者ステーション(SS)、または加入者ユニットとも呼ばれ得る。STA 110は、通信リンク115を介してAP 105に関連し、これと通信する。各AP 105は、そのエリア内のSTA 110がAP 105の範囲内にある、カバレージエリア125を有する。STA 110は、カバレージエリア125全体に散在する。各STA 110は、固定またはモバイルとすることができる。さらに、各AP 105およびSTA 110は、複数のアンテナを有することができる。
【００２３】
STA 110は、通信リンク115を使用してAP 105を介してお互いと通信することができるが、STA 110は、直接ワイヤレス通信リンク120を介してお互いと直接に通信することもできる。直接ワイヤレス通信リンクは、STAのいずれかがAP 105に接続されるかどうかにかかわりなく、STA 110の間で発生することができる。したがって、STA 110または同様のデバイスは、AP 105に関して本明細書で説明されるドップラプロファイルを判定するのに圧縮されたビームフォーミング情報を使用する技法を含むことができる。
【００２４】
図1内に示されたSTA 110およびAP 105は、IEEE 802.11と、802.11b、802.11g、802.11a、802.11n、802.11ac、802.11ad、802.11ah、802.11z、802.11ax、その他を含むがこれに限定されないその様々なバージョンとからの物理(PHY)層および媒体アクセス制御(MAC)層を含むWLAN無線およびベースバンドプロトコルに従って通信する。したがって、WLAN 100は、複数のデバイス(たとえば、STA 110およびAP 105)が同一のワイヤレス媒体(たとえば、チャネル)を共有することを可能にする競合ベースのプロトコルを実施する。複数のデバイスが同時にチャネル上で送信するのを防ぐために、BSS内の各デバイスは、媒体アクセスを構造化し、編成するいくつかの手順に従って動作し、これによってデバイスの間の干渉を軽減する。
【００２５】
WLAN 100内で、AP 105は、ドップラプロファイルを推定するために圧縮されたビームフォーミング情報(たとえば、超高スループット(VHT:very high throughput)圧縮されたビームフォーミング(CBF)レポート情報)を使用する技法を利用する。AP 105は、MIMOおよびMU-MIMOなどのいくつかの送信技法を利用する。MIMO通信は、通常、複数の受信アンテナ(たとえば、STA 110にある)に1つまたは複数の信号を送る複数の送信アンテナ(たとえば、AP 105にある)を用いる。各送信アンテナは、空間ダイバーシティおよび成功の信号受信の尤度を高めるために独立のデータ(または空間)ストリームを送信する。言い換えると、MIMO技法は、複数のデータストリームを送信するためにマルチパス環境を利用するために、カバレージエリア125内でAP 105の複数のアンテナおよび/またはSTA 110の複数のアンテナを使用する。
【００２６】
AP 105は、AP 105が複数のSTA 110に独立のデータストリームを同時に送信するMU-MIMO送信をも実施する。MU-N送信(たとえば、MU-2、MU-3、MU-4など)の一例において、AP 105は、N個のSTAに信号を同時に送信する。したがって、AP 105が、多数のSTA 110のトラフィックを有するときに、AP 105は、グループ内の各STA 110の個々のストリームを単一のMU-MIMO送信にアグリゲートすることによってネットワークスループットを高める。
【００２７】
様々なMU-MIMO技法および動作を実施する際に、AP 105(たとえば、ビームフォーマデバイス)は、好ましい方向にエネルギをどのように放射すべきかを判定するために、カバレージエリア125内でSTA 110(たとえば、ビームフォーミデバイス)と共に実行されるマルチユーザチャネルサウンディング手順に頼る。AP 105は、ヌルデータパケットアナウンスメント(NDPA:null data packet announcement)フレームおよびヌルデータパケット(NDP:null data packet)フレームをSTA-1、STA-2、STA-3、STA-4、STA-5、およびSTA-6などの複数のSTA 110に送信することによってチャネルをサウンディングする。AP 105は、たとえばSTA-7がMU-MIMO動作をサポートしないことの知識を有し、マルチユーザチャネルサウンディング手順にSTA-7を含めない。
【００２８】
AP 105は、複数のSTA 110からの応答を調整し、収集するために、NDPAフレームおよびNDPフレームの後にビームフォーミングレポートポールフレームをも送信する。STA 110の各々は、AP 105にVHT CBFフィードバックを送信するために、圧縮されたビームフォーミングアクションフレーム(たとえば、VHT CBFフレーム)を応答する。VHT CBFフィードバックは、VHT CBFレポート情報を含み、AP 105は、その一部を使用して、複数のSTA 110のSNR勾配メトリックおよびドップラ勾配メトリックを判定する。
【００２９】
VHT CBFレポート情報は、標準規格(たとえば、IEEE 802.11ac)に従って量子化される、角度の形(すなわち、ファイΦ角度およびプサイΨ角度)で圧縮された圧縮されたビームフォーミングフィードバック行列Vなどのフィードバック情報を含む。VHT CBFレポート情報は、フィードバック信号対雑音比(SNR)値(たとえば、時空ストリームNcの平均SNR、Ncは、圧縮されたビームフォーミングフィードバック行列V内の列の個数)をも含む。ストリームi内のトーンごとの各NSR値(平均をとられる前の)は、STA 110において判定されるビームフォーミングフィードバック行列Vの列iに関連するSNRに対応する。フィードバックSNR値は、チャネルサウンディング手順におけるNDPフレームに基づき、したがって、これらのフィードバックSNR値の各々は、一般に、特定のSTA 110がAP 105から特定のSTA 110へのシングルユーザ(SU)送信において経験する可能性があるSNRに対応する。
【００３０】
いくつかのSU送信(たとえば、MIMO)技法および動作を実施する際に、AP 105(たとえば、ビームフォーマデバイス)は、特定のSTAにどのようにエネルギを放射すべきかを判定するために、カバレージエリア125内のその特定のSTA 110(たとえば、複数の受信アンテナを有するビームフォーミデバイス)と共に実行されるシングルユーザチャネルサウンディング手順に頼る。AP 105は、STA-7などのSTA 110の点にヌルデータパケットアナウンスメント(NDPA)フレームおよびヌルデータパケット(NDP)フレームを送信することによってチャネルをサウンディングする。その特定のSTA 110は、AP 105にVHT CBFフィードバックを送信するために、圧縮されたビームフォーミングアクションフレーム(たとえば、VHT CBFフレーム)を応答する。VHT CBFフィードバックは、マルチユーザチャネルサウンディング手順に関して上で説明したものに類似する、VHT CBFレポート情報を含む。
【００３１】
いくつかのSTA 110が、異なる速度で移動している場合があり、したがって、チャネルサウンディング手順から導出される瞬間的なチャネル測定情報が、ワイヤレスチャネルの完全な実態を提供しない場合がある。たとえば、STA-1は、低速から中速で全般的にAP 105から離れて移動しており130-a、STA-2およびSTA-4は、静止している。STA-3は、高速で全般的にサービングエリアの接線方向に移動している130-b。この形において、AP 105からのシングルユーザ送信に関連してSTA-3によって受信される信号は、空間ストリームがより狭く焦点を合わされ、他のSTA宛の空間ストリームからの干渉が激化されるマルチユーザ送信に関連する受信された信号より少なく、STAの移動によって影響され得る。
【００３２】
いくつかの場合に、チャネル測定情報は、約0.1秒にわたって十分に正確であり、効果的なビームフォーミング計算が生じ得る。多数の移動するSTA 110を有するMU-MIMO送信など、他の場合に、チャネル測定情報は、約0.01秒の間だけ十分に正確である。しかし、静止STA 110へのSU送信など、他の場合に、チャネル測定情報は、約1秒から2秒の間、ビームフォーミング計算に十分に正確なままになる。したがって、サウンディングインターバルは、STA 110のドップラプロファイルに少なくとも部分的に基づいて変更される。
【００３３】
いくつかの例において、AP 105は、複数のマルチユーザチャネルサウンディング手順およびシングルユーザチャネルサウンディング手順から入手される、STA 110からのVHT CBFレポート情報を収集し、このフィードバック情報を使用して、SNRメトリックおよびビームフォーミングステアリング行列を判定する。いくつかの場合に、ドップラ勾配メトリックの第1のセットは、マルチユーザチャネルサウンディング手順中に入手される圧縮されたビームフォーミング情報だけを使用して判定され、ドップラ勾配メトリックの第2のセットは、シングルユーザチャネルサウンディング手順中に入手される圧縮されたビームフォーミング情報だけを使用して判定される。本明細書で説明されるチャネルサウンディング手順が、非限定的な例として提供されることを理解されたい。本開示の利益を与えられた当業者に明白であるとおり、圧縮されたビームフォーミング情報を入手するための他のチャネルサウンディング手順が、ドップラプロファイルを判定するのに使用され得る。
【００３４】
図2は、本開示の様々な態様による、ビームフォーマワイヤレスデバイスがビームフォーミワイヤレスデバイスに関連するSNR勾配メトリックを判定する例のワイヤレス通信シナリオ200を示す。図2内に示された例のワイヤレス通信シナリオ200は、それぞれ図1のAP 105およびSTA 110の例であるAP 105-aおよびSTA 110-aに関して図示されている。この例では、AP 105-aは、STA-1 (図2内ではSTA 110-aとして図示)を含む複数のSTA 110から、複数のサウンディング期間にわたってVHT CBFレポート情報を受信済みである。AP 105-aは、SU送信およびMU-2、MU-3、およびMU-4のグループ化を有するMU-MIMO送信に関してSTA-1のSNRを分析する。
【００３５】
たとえば、AP 105-aは、MU-3 MU-MIMO送信に関してSTA-1のSNRを分析する。AP 105-aは、STA-1 110-aを含んだ第1のMU-3 MIMO送信がSTA-2およびSTA-3をも含む(図1に示されているように)と判定する。例のワイヤレス通信シナリオ200において、AP 105-aにある送信アンテナ222の個数は4であり、STA-1 110-aにある受信アンテナ233の個数は1である。マルチユーザサウンディング手順中に、STA-1は、ワイヤレスチャネルHを推定し、Hi=UiSiVi*などの特異値分解(SVD)演算を使用してワイヤレスチャネル推定値Hを分解し、ここで、Uiは、受信アンテナの個数に関連するユニタリ行列であり、Siは、フィードバックSNR値を表し、Vi*は、フィードバック行列であり、iは、特定のSTA(たとえば、この例においてはSTA-1 110-a)を表す。同様のチャネル推定演算が、マルチユーザサウンディング手順中に他のSTA 110(この例においてはSTA-2およびSTA-3を含む)によって実行される。
【００３６】
AP 105-aは、圧縮されたビームフォーミング情報を受信し、チャネルサウンディング手順中にSTA-1 110-aによって供給される圧縮されたビームフォーミング情報から圧縮されたビームフォーミングフィードバック行列Vを圧縮解除しまたは分解する。AP 105-aは、フィードバック行列Vi*を構成し、フィードバックSNR値Si(たとえば、VHT CBFレポート情報内で報告される平均SNR)を入手する。AP 105-aは、各STA(たとえば、この例においてはSTA-1、STA-2、およびSTA-3)のSiおよびVi*を使用して、ビームフォーミングステアリング行列Wを計算する。この例において、ビームフォーミングステアリング行列W(t)は、STA-1 110-a、STA-2、およびSTA-3へのMU-3 MU-MIMO送信のステアリング行列に関するサウンディング瞬間tにおけるビームフォーミングステアリング行列である。
【００３７】
AP 105-aは、|Si(t)Vi*(t)W(t)|2としてSTA-1 110-aの瞬間SNRを計算し、ここで、Si(t)およびVi*(t)は、サウンディング瞬間tにおけるSTA i(この例においてはSTA-1 110-a)のSおよびVi*行列であり、W(t)は、サウンディング瞬間tにおけるビームフォーミング行列である。この例においては、単位雑音電力が仮定される。AP 105-aは、ビームフォーミングステアリング行列W(t)を記憶し、後続のサウンディングインターバルt+Ts、t+2Ts、t+3TsなどにおけるSNR勾配メトリック(たとえば、経時的なSNRの変化)を計算するためにビームフォーミングステアリング行列W(t)を使用し、ここで、Tsは、サウンディングインターバル(たとえば、同一のSTA 110の2つの連続するVHT CBFレポートの受信の間のインターバル)である。AP 105-aは、次のように各STA 110に関するSNR勾配メトリックを判定し、ここで、iは特定のSTA(この例においてはSTA-1 110-a)を表す。
【００３８】
【数１】
2018530946.tif 000003
【００３９】
AP 105-aは、次のように、2つのサウンディングインターバル2Ts(たとえば、同一のSTA 110の2つの連続するVHT CBFレポートの受信の間のタイムインターバル)の追加のSNR勾配メトリックを判定する。
【００４０】
【数２】
2018530946.tif 000004
【００４１】
一般に、AP 105-aは、次のように、特定のSTA(たとえば、この例においてはSTA-1 110-a)に関する所与の複数m個のサウンディングインターバルTsについて各STA 110に関するSNR勾配メトリックを判定する。
【００４２】
【数３】
2018530946.tif 000005
【００４３】
ビームフォーミングステアリング行列W(t)は、所与のSTA 110の複数のSNR勾配メトリックを判定する際に使用される。たとえば、STA-1に関する後続のサウンディング手順およびMU-MIMO送信が、STA-2またはSTA-3を含まない(たとえば、STA-1 110-a、STA-5、およびSTA-6へのMU-3 MU-MIMO送信)ときに、STA-1 110-a、STA-2、およびSTA-3へのMU-3 MU-MIMO送信に関して計算されたビームフォーミングステアリング行列W(t)が、後続のチャネルサウンディング手順から受信される圧縮されたフィードバック情報に関するSNR勾配行列を判定するのに使用される。これに関して、ビームフォーミングステアリング行列W(t)は、いくつかの実施形態において複数のSNR勾配メトリックを判定するための一時定数として働く。
【００４４】
たとえば、STA-1 110-aは、図2内に示されているように移動している130-c。第1のチャネルサウンディング手順は、STA-1 110-aが第1の時刻および位置202にあるときにAP 105-aによって開始される。第2のチャネルサウンディング手順は、STA-1 110-aが第2の時刻および位置204にあるときに後続の時刻にAP 105-aによって開始される。サウンディングインターバルTsは、STA-1 110-aの第1の時刻および位置202と第2の時刻および位置204との間の時間期間である。第1の時刻および位置202におけるSTA-1 110-aに関連するAP 105-aによって受信される圧縮されたビームフォーミング情報(たとえば、Si(t)Vi*(t))ならびに第2の時刻および位置204におけるSTA-1 110-aに関連するAP 105-aによって受信される圧縮されたビームフォーミング情報(たとえば、
【００４５】
【数４】
2018530946.tif 000006
【００４６】
)は、AP 105-aによって、サウンディングタイムインターバルTsに関連するSNR勾配メトリック(たとえば、ΔSNRi(1))を判定するのに使用される。
【００４７】
第3のチャネルサウンディング手順は、STA-1 110-aが第3の時刻および位置206にあるときのさらなる後続の時刻にAP 105-aによって開始される。2Tsのサウンディング持続時間は、STA-1 110-aの第1の時刻および位置202と第3の時刻および位置206との間の時間期間である。第1の時刻および位置202におけるSTA-1 110-aに関連するAP 105-aによって受信される圧縮されたビームフォーミング情報(たとえば、Si(t)Vi*(t))ならびに第3の時刻および位置206におけるSTA-1 110-aに関連するAP 105-aによって受信される圧縮されたビームフォーミング情報(たとえば、
【００４８】
【数５】
2018530946.tif 000007
【００４９】
)は、AP 105-aによって、サウンディングタイムインターバル2Tsに関連するSNR勾配メトリック(たとえば、ΔSNRi(2))を判定するのに使用される。
【００５０】
さらに、AP 105-aは、同一のSTA 110の複数の連続するVHT CBFレポートを介して平均SNR勾配メトリックを判定する。たとえば、AP 105-aは、以下のように、所与の複数m個のサウンディングインターバルTsの複数の連続するVHT CBFレポートを介して平均SNR勾配メトリックを判定するのに移動平均を使用する。
【００５１】
【数６】
2018530946.tif 000008
【００５２】
式(1)
【００５３】
これに関して、ビームフォーミングステアリング行列W(t)の追加の行列計算が、平均SNR勾配メトリックを判定するのに使用される。たとえば、一連のSNR勾配メトリック計算が、STA-1 110-a、STA-2、およびSTA-3へのMU-3 MU-MIMO送信に関して計算されるビームフォーミングステアリング行列W(t)を使用して判定され、別の一連のSNR勾配メトリック計算が、STA-1 110-a、STA-5、およびSTA-6への後続のMU-3 MU-MIMO送信に関して計算されるビームフォーミングステアリング行列W(t+x)を使用して判定される。これらの例において、ビームフォーミングステアリング行列W(t+x)内のxは、複数のサウンディングインターバルn Ts(たとえば、2Ts、10Ts、30Tsなど)に関連付けられ得、ビームフォーミングステアリング行列W(t)およびビームフォーミングステアリング行列W(t+x)を使用して計算されるSNR勾配メトリックの同様の持続時間(たとえば、Ts、2Ts、3Tsなど)は、平均SNR勾配メトリックに関して組み合わされる。
【００５４】
たとえば、図2において、第2の時刻および位置204においてSTA-1 110-aに関連するAP 105-aによって受信される圧縮されたビームフォーミング情報(たとえば、
【００５５】
【数７】
2018530946.tif 000009
【００５６】
)および第3の時刻および位置206におけるSTA-1 110-aに関連するAP 105-aによって受信される圧縮されたビームフォーミング情報(たとえば、
【００５７】
【数８】
2018530946.tif 000010
【００５８】
)は、AP 105-aによって、サウンディングタイムインターバルTsに関連する別のSNR勾配メトリック(たとえば、ΔSNRi(1))を判定するのに使用される。このSNR勾配メトリック(たとえば、第2の時刻および位置204から第3の時刻および位置206までのサウンディングタイムインターバルTsの間に入手されるΔSNRi(1)メトリック)は、その後、第1の時刻および位置202におけるSTA-1 110-aに関連するAP 105-aによって受信される圧縮されたビームフォーミング情報(たとえば、Si(t)Vi*(t))および第2の時刻および位置204におけるSTA-1 110-aに関連するAP 105-aによって受信される圧縮されたビームフォーミング情報(たとえば、
【００５９】
【数９】
2018530946.tif 000011
【００６０】
)から入手されるサウンディングタイムインターバルTsを有するSNR勾配メトリックと、式(1)に従って平均をとられる。
【００６１】
本開示の利益を与えられる当業者に明白な、SNR勾配メトリック(ΔSNRi(1)、ΔSNRi(2)、ΔSNRi(m)、および平均ΔSNRi(m))に関する開示される式および同様の技法の特性は、複数のSNR勾配メトリックを判定するための同一のビームフォーミングステアリング行列の使用、同一のサウンディングインターバル持続時間の複数のSNR勾配メトリックを判定するための異なるビームフォーミングステアリング行列の使用、SNR勾配メトリックを判定するための異なるチャネルサウンディング手順からの異なるフィードバックSNR値の使用、およびSNR勾配メトリックを判定するための異なるチャネルサウンディング手順からの異なる圧縮されたフィードバック行列の使用を含むが、これに限定はされない。
【００６２】
AP 105-aは、ドップラ勾配メトリックを判定するのにSNR勾配メトリックを使用する。AP 105-aは、速度整合技法(たとえば、MCS判定)を実施し、サウンディングインターバルを動的に適合させ(たとえば、STA 110またはSTA 110のグループのためにサウンディングインターバルを変更する)、MU-MIMOグループ化のためにSTA 110を分類する(たとえば、低いドップラ勾配を有するSTA 110をグループ化する)ためにドップラ勾配メトリックを使用する。
【００６３】
図3Aは、本開示の様々な態様による、STAから圧縮されたビームフォーミング情報を受信し、SNR勾配メトリックおよびドップラ勾配メトリックを判定するのに受信された圧縮されたビームフォーミング情報を使用するAPの例のブロック図300-aを示す。図3A内に示された例のブロック図300-aは、AP 105-bおよびSTA 110-b、110-c、110-dに関して図示され、これらは、それぞれ図1および図2のAP 105およびSTA 110の例である。
【００６４】
STA-1 110-b、STA-2 110-c、およびSTA-n 110-dの各々は、圧縮されたビームフォーミング情報をAP 105-bに送信する。AP 105-bのSNR勾配推定器330は、STA-1 110-b、STA-2 110-c、およびSTA-n 110-dの各々のSNR勾配メトリックを判定するために、受信された圧縮されたビームフォーミング情報を処理する。受信された圧縮されたビームフォーミング情報の一部は、AP 105-bによって圧縮解除されずに使用できる場合がある(たとえば、VHT圧縮されたビームフォーミングレポートの一部として送られる、SU送信の場合の時空ストリームあたりの平均SNR)。それに加えてまたはその代わりに、圧縮されていないビームフォーミングレポートが受信される場合がある。STA-1 110-b、STA-2 110-c、およびSTA-n 110-dの各々のSNR勾配メトリックは、AP 105-bがビームフォーミングステアリング行列W(t)を使用してそれぞれのSTA 110への送信(たとえば、それぞれのSTA 110がMUグループのメンバであるMU-MIMO送信またはSU送信)を実行する場合にそれぞれのSTA 110が経験するはずのSNRの変化の推定値として判定される。またビームフォーミングステアリング行列判定器(determiner)350はSTA-1 110-b、STA-2 110-c、およびSTA-n 110-dの各々から圧縮されたビームフォーミング情報を受信する。同様に、受信された圧縮されたビームフォーミング情報の一部が、AP 105-bによって圧縮解除されずに使用できる場合がある。それに加えてまたはその代わりに、圧縮されていないビームフォーミングレポートが受信される場合がある。ビームフォーミングステアリング行列W(t)は、ビームフォーミングステアリング行列判定器350によって判定され、SNR勾配推定器330に供給される。また、ビームフォーミングステアリング行列W(t)は、複数の計算での使用のためにAP 105-bによって記憶される。したがって、STA-1 110-b、STA-2 110-c、およびSTA-n 110-dの各々のSNRの変化の速度が、AP 105-bによって判定される。
【００６５】
AP 105-bは、ある時間の期間にわたってステーションから受信される圧縮されたビームフォーミング情報を記憶することができる。たとえば、特定の複数m個のサウンディングインターバルTsにわたるSNR勾配ΔSNRi(m)は、以下のように、全判断期間Td=KTs内の全体的なSNR勾配を表す1つの数ΔSNRiを得るために、Kの値までのmの異なる値の勾配と平均をとられる。
【００６６】
【数１０】
2018530946.tif 000012
【００６７】
たとえば、K=3の場合には、
【００６８】
【数１１】
2018530946.tif 000013
【００６９】
であり、これは、K=3個のサウンディングインターバルにわたる全体的なSNR勾配を表す。
【００７０】
KおよびTdの選択は、現在のサウンディングインターバルTs、および現在の送信がシングルユーザ(SU)送信またはマルチユーザ(MU)送信のどちらであるのかに依存する。MU送信は、SU送信と比較してチャネル変動により敏感であり、サウンディングインターバルは、大きいチャネル変動があり、大きいSNR勾配につながる場合に、素早く適合されなければならない。1つの例の実施態様において、判断インターバルTdは、SU送信に関してTd=200msecであり、MU送信に関して80msecである。サウンディングインターバルの値の例は、SU送信に関してTs=50msecまたは100msec、MU送信に関してTs=10msec、20msec、または40msecを含む。その結果、この実施例において、SUのKの値の例は、4または2を含み、MUに関して8、4、または2を含む。MU送信がチャネル変動により敏感なので、この構成は、MU送信に関して判断がより素早く行われ(MUのTd<SUのTd)、非最適判断の影響がMUに関してより大きいので、より高い信頼性を伴う(現在のサウンディングインターバルに依存して、全般的により大きいK)ことを可能にする。
【００７１】
SNR勾配メトリックは、AP 105-bのドップラ勾配推定器340に供給され、ドップラ勾配推定器340は、それらのSNR勾配メトリックに少なくとも部分的に基づいて、STA-1 110-b、STA-2 110-c、およびSTA-n 110-dのワイヤレスチャネルのドップラ勾配を分類する。ドップラ勾配推定器340は、STA-1 110-b、STA-2 110-c、およびSTA-n 110-dの各々に関連するドップラ勾配メトリックを供給する。たとえば、ドップラ勾配メトリックは、いくつかの実施形態においてドップラ分類として供給される。ドップラ勾配推定器340は、非常に低い(たとえば、静的または静的に近いワイヤレスチャネル)、低い、中、または高い(たとえば、高速フェージングチャネル)ドップラ勾配特性を有するものとしてワイヤレスチャネルのドップラ勾配を分類する。いくつかの例において、ドップラ勾配推定器340は、次のようにドップラ勾配を分類する。
【００７２】
【表１】
2018530946.tif 000014
【００７３】
いくつかの場合に、Δ1の値は、約1から2dBであり、Δ2の値は、約2から3dBであり、Δ3の値は、約3から5dBであり、Δ4の値は、約5から10dBである。いくつかの実施態様において、Δ4より大きいΔSNRi値は、異常な測定値または誤りのある測定値と考えられ、除外される(たとえば、ドップラ勾配メトリックは、様々なMIMO動作を判断する際にその特定のSTA 110に関して利用されない)。他の実施態様において、Δ4より大きいΔSNRi値は、「高い」のドップラ分類を有すると考えられる。
【００７４】
別個のドップラ分類の個数が、設計パラメータであり、ドップラ勾配推定器340およびAP 105-bのいくつかの実施形態および実施態様に依存して変化し得ることを了解されたい。
【００７５】
AP 105-bが、判定されたドップラ勾配メトリックに少なくとも部分的に基づいてMU-MIMO送信グループ(またはSU送信)を判定するときに、ビームフォーミングステアリング行列Wが、ビームフォーミングステアリング行列判定器350によって判定され、MU-MIMO送信が、送信器360によって実行される。ビームフォーミングステアリング行列Wは、時間におけるその瞬間の特定の送信に関し、ビームフォーミングステアリング行列Wは、SNR勾配メトリック計算に使用されるものと同一(たとえば、ビームフォーミングステアリング行列W(t)およびW(t+x))とされ得るが、特定の送信のためのビームフォーミングステアリング行列Wは、必ずしも同一である必要がない。
【００７６】
図3Bは、本開示の様々な態様による、STAから圧縮されたビームフォーミング情報を受信し、SNR勾配メトリックおよびドップラ勾配メトリックを判定するのに受信された圧縮されたビームフォーミング情報を使用するAPの例のブロック図300-bを示す。図3B内に示された例のブロック図300-bは、それぞれ図1および図2のAP 105およびSTA 110の例である、AP 105-cおよびSTA 110-e、110-f、110-gに関して図示されている。
【００７７】
STA-1 110-e、STA-2 110-f、およびSTA-n 110-gの各々は、圧縮されたビームフォーミング情報をAP 105-cに送信する。AP 105-cのデコンプレッサ325は、受信された圧縮されたビームフォーミング情報を圧縮解除する。たとえば、AP 105-cのデコンプレッサ325は、STA-1 110-e、STA-2 110-f、およびSTA-n 110-gの各々に関する圧縮解除および再構成の後に圧縮解除されたビームフォーミング行列(たとえば、フィードバック行列V*)を入手するために、各圧縮されたフィードバック行列Vの行および列に関連する角度(たとえば、ファイΦ角度およびプサイΨ角度)に少なくとも部分的に基づいて、圧縮されたフィードバック行列を圧縮解除する。
【００７８】
AP 105-bのSNR勾配推定器330-aは、STA-1 110-e、STA-2 110-f、およびSTA-n 110-gの各々のSNR勾配メトリックを判定するために、デコンプレッサ325によって圧縮解除された、受信された圧縮されたビームフォーミング情報を処理する。STA-1 110-e、STA-2 110-f、およびSTA-n 110-gの各々のSNR勾配メトリックは、AP 105-cがビームフォーミングステアリング行列W(t)を使用してそれぞれのSTA 110への送信(たとえば、それぞれのSTA 110がMUグループのメンバであるMU-MIMO送信またはSU送信)を実行する場合にそれぞれのSTA 110が経験するはずのSNRの変化の推定値として判定される。ビームフォーミングステアリング行列判定器350-aも、デコンプレッサ325によって圧縮解除された、圧縮されたビームフォーミング情報を受信する。ビームフォーミングステアリング行列W(t)は、ビームフォーミングステアリング行列判定器350-aによって判定され、SNR勾配推定器330-aに供給される。
また、ビームフォーミングステアリング行列W(t)は、複数の計算における使用のためにAP 105-cによって記憶される。したがって、STA-1 110-e、STA-2 110-f、およびSTA-n 110-gの各々のSNRの変化の速度が、AP 105-cによって判定される。
【００７９】
SNR勾配メトリックは、AP 105-cのドップラ勾配推定器340-aに供給され、ドップラ勾配推定器340-aは、これらのSNR勾配メトリックに少なくとも部分的に基づいて、STA-1 110-e、STA-2 110-f、およびSTA-n 110-gのワイヤレスチャネルのドップラ勾配を分類する。ドップラ勾配推定器340-aは、STA-1 110-e、STA-2 110-f、およびSTA-n 110-gの各々に関連するドップラ勾配メトリックを供給する。たとえば、ドップラ勾配メトリックは、いくつかの実施形態においてドップラ分類として供給される。ドップラ勾配推定器340-aは、ドップラ勾配推定器340に関して上で説明されたように、ワイヤレスチャネルのドップラ勾配を分類する。
【００８０】
まだ図3Bを参照すると、AP 105-cは、速度整合技法(たとえば、MCS判定)を実施するために、STA-1 110-e、STA-2 110-f、およびSTA-n 110-gの各々の判定されたドップラ勾配メトリックを使用する。いくつかの場合に、連続するチャネルサウンディング手順の間の物理層コンバージェンス手順(PLCP)プロトコルデータユニット(PPDU)の最適な速度は、ワイヤレスチャネルがチャネルサウンディング手順の後にどれほど速く変化するのかに依存する。高速フェージングワイヤレスチャネルまたは高速に変化するワイヤレスチャネルに関して、STA 110のMCSは、高い速度で低下すると期待される。ゆっくり変化するワイヤレスチャネルまたは静的ワイヤレスチャネルに関して、STA 110のMCSは、低い速度で低下するか全く低下しないと期待される。
【００８１】
いくつかの例において、AP 105-cは、サウンディングインターバルの間のPPDUの送信のためにSTA-1 110-e、STA-2 110-f、およびSTA-n 110-gのうちの1つまたは複数のMCSを適合させるのに、判定されたドップラ勾配メトリックを使用する。特定のSTA 110のドップラ勾配メトリックが非常に低い(たとえば、ゆっくり変化するワイヤレスチャネルまたは静的ワイヤレスチャネル)場合に、AP 105-cは、非常に小さい値(たとえば、1のdM1値)だけその特定のSTA 110のMCSを減分し、またはそれを同一に保つ。ドップラ勾配メトリックが高い(たとえば、高速フェージングワイヤレスチャネルまたは高速に変化するワイヤレスチャネル)場合に、AP 105-cは、大きい値(たとえば、3と6との間のdM4値)だけその特定のSTA 110のMCSを減分する。
【００８２】
したがって、ドップラ勾配推定器340-aが、ドップラ勾配メトリックを「非常に低い」として分類するときに、AP 105-cは、第1の値(たとえば、dM1)だけその特定のSTA 110のMCSを減分する。ドップラ勾配推定器340-aが、ドップラ勾配メトリックを「低い」として分類するときに、AP 105-cは、第1の値以上の第2の値(たとえば、dM2)だけその特定のSTA 110のMCSを減分する。ドップラ勾配推定器340-aが、ドップラ勾配メトリックを「中」として分類するときに、AP 105-cは、第2の値以上の第3の値(たとえば、dM3)だけその特定のSTA 110のMCSを減分する。ドップラ勾配推定器340-aが、ドップラ勾配メトリックを「高い」として分類するときに、AP 105-cは、第3の値以上の第4の値(たとえば、dM4)だけその特定のSTA 110のMCSを減分する。
【００８３】
別個のドップラ分類の個数に関して上で同様に注記したように、別個の減分値(たとえば、dMx値)の個数およびその値は、設計パラメータであり、ドップラ勾配推定器340-aおよびAP 105-cのいくつかの実施形態および実施態様に依存して変化し得る。
【００８４】
対照的に、いくつかのイントラサウンディングMCS速度整合技法(たとえば、2つの連続するチャネルサウンディング手順の間のPPDUに関する速度整合)は、STA 110からのブロック肯定応答に基づいて計算された瞬間PERだけに基づく。いくつかの実施形態において、PERベースの技法と本明細書で説明されるドップラ勾配メトリック技法との組合せが、AP 105-cによって使用され得る。
【００８５】
また、AP 105-cは、サウンディングインターバルを動的に適合させる(たとえば、STA 110またはSTA 110のグループのサウンディングインターバルを変更する)ために、STA-1 110-e、STA-2 110-f、およびSTA-n 110-gの各々の判定されたドップラ勾配メトリックを使用する。
【００８６】
特定のSTA 110のドップラ勾配メトリックが非常に低い(たとえば、ゆっくり変化するワイヤレスチャネルまたは静的ワイヤレスチャネル)場合に、AP 105-cは、その特定のSTA 110に関連する、より長いサウンディングインターバル(たとえば、サウンディングインターバルTsの4倍から16倍のT1値)を選択する。その場合に、AP 105-cは、非常に低いドップラ勾配メトリックを有するSTA 110に関連するより少ないサウンディングオーバーヘッドに少なくとも部分的に起因する、より高いスループット速度を経験する。
【００８７】
しかし、ドップラ勾配メトリックが高い(たとえば、高速フェージングワイヤレスチャネルまたは高速に変化するワイヤレスチャネル)場合に、AP 105-cは、その特定のSTA 110に関連する、より短いサウンディングインターバル(たとえば、現在のサウンディングインターバルTsと等しいT4値または現在のサウンディングインターバルTsより短いサウンディングインターバル)を選択する。その場合に、AP 105-cは、ワイヤレスチャネル変動をより効果的に追跡し、古いワイヤレスチャネル情報に少なくとも部分的に基づくPERの突然の変化を有することを回避する。
【００８８】
したがって、ドップラ勾配推定器340-aが、ドップラ勾配メトリックを「非常に低い」として分類するときに、AP 105-cは、その特定のSTA 110のサウンディングインターバルに関して第1の値(たとえば、T1)を選択する。ドップラ勾配推定器340-aが、ドップラ勾配メトリックを「低い」として分類するときに、AP 105-cは、その特定のSTA 110のサウンディングインターバルに関して第2の値(たとえば、T2)を選択し、第2の値は第1の値以下である。ドップラ勾配推定器340-aが、ドップラ勾配メトリックを「中」として分類するときに、AP 105-cは、その特定のSTA 110のサウンディングインターバルに関して第3の値(たとえば、T3)を選択し、第3の値は第2の値以下である。ドップラ勾配推定器340-aが、ドップラ勾配メトリックを「高い」として分類するときに、AP 105-cは、その特定のSTA 110のサウンディングインターバルに関して第4の値(たとえば、T4)を選択し、第4の値は第3の値以下である。
【００８９】
別個のドップラ分類の個数に関して上で同様に注記したように、別個のサウンディングインターバル値(たとえば、Tx値)の個数およびその値は、設計パラメータであり、ドップラ勾配推定器340-aおよびAP 105-cのいくつかの実施形態および実施態様に依存して変化し得る。
【００９０】
AP 105-cは、MU-MIMOグループ化(たとえば、低いドップラ勾配を有するSTA 110のグループ化)のためにSTA 110を分類するために、STA-1 110-e、STA-2 110-f、およびSTA-n 110-gの各々の判定されたドップラ勾配メトリックを使用する。ドップラ勾配メトリックは、チャネルがどれほど速く変化するのか、したがって、特定のSTA 110の関連する信号対干渉雑音比(SINR)およびMCSがどれほど速く変化するのかの指示を提供する。したがって、AP 105-cは、たとえばSTA 110のMU-MIMOグループ化を判定するために、キュー深さおよびMCS速度と組み合わせてドップラ勾配メトリックを使用する。
【００９１】
たとえば、AP 105-cは、キュー深さおよびMCS速度に基づいて、STA-1 110-e、STA-2 110-f、およびSTA-3を含むように候補MU-MIMOグループを当初に判定する。この例では、STA-1 110-eは、7の最も最近のMCSを有し、STA-2 110-fは、8の最も最近のMCSを有し、STA-3 110は、7の最も最近のMCSを有する。STA-1 110-eおよびSTA-2 110-fの各々は、「低い」として分類されるドップラ勾配メトリックを有する。しかし、STA-3は、「高い」として分類されるドップラ勾配メトリックを有する。STA-3 110の最も最近のMCS値は7であるが、ドップラ勾配メトリックは、STA-3に関連する高速フェージングワイヤレスチャネルまたは高速に変化するワイヤレスチャネルを示す。したがって、MU-MIMO送信を送る時刻のSTA-3 110の実際のMCSは、5または4に低下すると予測される。
【００９２】
したがって、AP 105-cは、候補MU-MIMOグループからSTA-3 110を除去すると判定し、STA-1 110-eおよびSTA-2 110-fだけを含むMU-2グループ化を用いるMU-MIMO送信を実行するか、「非常に低い」または「低い」と分類されるドップラ勾配メトリックを有する別のSTA 110を含めるようにMU-3グループ化を変更する。さらに、STA-3 110の「高い」ドップラ勾配メトリック分類に少なくとも部分的に基づいて、AP 105-cは、SU送信のためにSTA-3をスケジューリングすることができる。
【００９３】
AP 105-cが、判定されたドップラ勾配メトリックに少なくとも部分的に基づいてMU-MIMO送信グループ(またはSU送信)を判定するときに、ビームフォーミングステアリング行列Wが、ビームフォーミングステアリング行列判定器350-aによって判定され、MU-MIMO送信が、送信器360-aによって実行される。
【００９４】
図3Aおよび図3Bのブロック図300-aおよび300-bが、ドップラ勾配メトリックを判定するのに圧縮されたビームフォーミング情報または圧縮されていないビームフォーミング情報を使用するAP 105のいくつかの例であり、他のワイヤレス通信デバイスが、本明細書で説明される技法を実施できることを了解されたい。ワイヤレス通信デバイス(AP 105を含む)は、SNR勾配を判定し、ドップラ勾配メトリックは、類似する形で他のMIMO動作に、例として、速度整合技法の実施に、サウンディングインターバルの動的適合に、および本明細書で説明されるMU-MIMOグループ化のためのSTA 110の分類に、使用され得る。
【００９５】
図4Aは、本開示の様々な態様による、図1〜図3Bに関する、ドップラプロファイルを推定するのに圧縮されたビームフォーミング情報を使用することをサポートする例のAP 105-dのブロック図400-aを示す。AP 105-dは、プロセッサ405、メモリ410、1つまたは複数のトランシーバ420、1つまたは複数のアンテナ425、サウンディングマネージャ430、MUグループ化マネージャ435、MCSマネージャ440、デコンプレッサ325-a、SNR勾配推定器330-b、ドップラ勾配推定器340-b、およびビームフォーミングステアリング行列判定器350-bを含む。プロセッサ405、メモリ410、トランシーバ420、サウンディングマネージャ430、MUグループ化マネージャ435、MCSマネージャ440、デコンプレッサ325-a、SNR勾配推定器330-b、ドップラ勾配推定器340-b、およびビームフォーミングステアリング行列判定器350-bは、バス445に通信可能に結合され、バス445は、これらの構成要素の間の通信を可能にする。アンテナ425は、トランシーバ420に通信可能に結合される。
【００９６】
プロセッサ405は、中央処理装置(CPU)、マイクロコントローラ、特定用途向け集積回路(ASIC)、その他などのインテリジェントハードウェアデバイスである。プロセッサ405は、トランシーバ420を介して受信された情報およびアンテナ425を介する送信のためにトランシーバ420に送られる情報を処理する。
【００９７】
メモリ410は、実行されるときにプロセッサ405またはAP 105-dの構成要素のうちの別の1つに本明細書で説明される様々な機能、たとえば、複数のSTA 110の圧縮されたビームフォーミング情報の受信ならびにSTA 110に関連するSNR勾配メトリックおよびドップラ勾配メトリックの判定を実行させる命令を含むコンピュータ可読コンピュータ実行可能ソフトウェア(SW)コード415を記憶する。
【００９８】
トランシーバ420は、STA 110、他のAP 105、または他のデバイスなどの他のワイヤレスデバイスと両方向で通信する。トランシーバ420は、パケットおよびフレームを変調し、変調されたパケットを送信のためにアンテナ425に供給するモデムを含む。モデムは、さらに、アンテナ425から受信されるパケットを復調するのに使用される。
【００９９】
サウンディングマネージャ430、MUグループ化マネージャ435、MCSマネージャ440、デコンプレッサ325-a、SNR勾配推定器330-b、ドップラ勾配推定器340-b、およびビームフォーミングステアリング行列判定器350-bは、下でさらに説明するように、図1〜図3Bを参照して説明された特徴を実施する。
【０１００】
やはり、図4Aは、図1〜図3の特徴を実行するデバイスの1つの可能な実施態様のみを示す。図4Aの構成要素は、明瞭さのためにディスクリートハードウェアブロック(たとえば、ASIC、フィールドプログラマブルゲートアレイ(FPGA)、セミカスタム集積回路など)として示されるが、構成要素の各々が、適用可能な特徴の一部またはすべてをハードウェア内で実行するように適合された複数のハードウェアブロックによっても実施され得ることを理解されたい。代替案では、図4Aの構成要素のうちの2つ以上の特徴が、単一の合併されたハードウェアブロックによって実施され得る。たとえば、単一のトランシーバ420チップが、プロセッサ405、サウンディングマネージャ430、MUグループ化マネージャ435、MCSマネージャ440、デコンプレッサ325-a、SNR勾配推定器330-b、ドップラ勾配推定器340-b、およびビームフォーミングステアリング行列判定器350-bを実施することができる。
【０１０１】
さらに他の例において、各構成要素の特徴は、全体的にまたは部分的に、1つまたは複数の一般的なまたは特定用途向けのプロセッサによって実行されるようにフォーマットされた、メモリ内で実施される命令を用いて実施され得る。たとえば、図4Bは、サウンディングマネージャ430-a、MUグループ化マネージャ435-a、MCSマネージャ440-a、デコンプレッサ325-b、SNR勾配推定器330-c、ドップラ勾配推定器340-c、およびビームフォーミングステアリング行列判定器350-cの特徴がメモリ410-a上に記憶され1つまたは複数のプロセッサ405-aによって実行されるコンピュータ可読コードとして実施されるAP 105-eの別の例のブロック図400-bを示す。ハードウェア/ソフトウェアの他の組合せが、図4Aおよび図4Bの構成要素のうちの1つまたは複数の機能を実行するのに使用され得る。
【０１０２】
図5は、本開示の様々な態様による、ドップラプロファイルを推定するのに圧縮されたビームフォーミング情報を使用する方法500の一例を示す流れ図を示す。方法500は、本開示内で議論されるAP 105およびSTA 110のいずれかによって実行され得るが、明瞭さのために、方法500は、ビームフォーマワイヤレスデバイスとしての図4AのAP 105-dおよびビームフォーミワイヤレスデバイスとしての図1〜図3BのSTA 110の展望から説明される。方法500が、SNR勾配メトリックおよびドップラ勾配メトリックを判定するのに圧縮されたビームフォーミング情報を使用する技法の一例にすぎず、方法500の動作が、再配置され、他のデバイスおよびその構成要素によって実行され、かつ/または他の実施態様が可能になるように他の形で変更され得ることを理解されたい。
【０１０３】
おおまかに言って、方法500は、AP 105-dがそれによって複数のステーションから圧縮されたビームフォーミング情報を受信する手順を示し、圧縮されたビームフォーミング情報は、フィードバックSNR値および圧縮されたフィードバック行列を含む。方法500は、受信されたフィードバックSNR値および受信された圧縮されたフィードバック行列に少なくとも部分的に基づいてステーションの1つまたは複数のSNR勾配メトリックを判定する。ステーションの1つまたは複数のSNR勾配メトリックは、それ自体で使用され、または1つまたは複数のSNR勾配メトリックに少なくとも部分的に基づいてドップラ勾配メトリックを判定するのに使用され得る。
【０１０４】
ブロック505において、AP 105-dのトランシーバ420が、チャネルサウンディング手順を実行する。チャネルサウンディング手順は、ビームフォーミとして選択されたステーションを識別するためのヌルデータパケット(NDP)アナウンスメントフレームの送信を含む。その後、トランシーバ420は、ステーションに既知のトレーニングフィールドを有するNDPを送信する。
【０１０５】
ブロック510において、トランシーバ420が、複数のステーションの各々から圧縮されたビームフォーミング情報を受信する。ステーションのうちの第1の1つが、NDPに応答して圧縮されたビームフォーミング情報を供給し、他のステーションは、AP 105-dのトランシーバ420によって送られた個々のビームフォーミングレポートポールフレームに応答して、圧縮されたビームフォーミング情報を順次供給する。たとえば、ステーションの圧縮されたビームフォーミング情報は、フィードバック信号対雑音比(SNR)値および圧縮されたフィードバック行列を含む。AP 105-dによってステーションから受信される圧縮されたビームフォーミング情報は、時間の期間にわたって受信される。これに関して、概して、時間の期間にわたって受信され、ステーションの1つまたは複数のSNR勾配メトリックを判定するのに使用される、圧縮されたビームフォーミング情報は、ステーションに関してAP 105-dによって実行される複数の連続するサウンディング手順に関連する。
【０１０６】
1つのオプションにおいて、ブロック515において、AP 105-dのメモリ410が、上で議論したように、時間の期間にわたって受信されたステーションからの圧縮されたビームフォーミング情報を記憶する。たとえば、メモリ410は、複数のステーションの各々からの受信された圧縮されたビームフォーミング情報および/またはAP 105-dによって圧縮解除された受信された圧縮されたビームフォーミング情報に関連するビームフォーミング情報を記憶する。
【０１０７】
ブロック520において、1つのオプションに従って、デコンプレッサ325-aが、圧縮されたフィードバック行列を圧縮解除する。さらに、いくつかのオプションにおいて、様々な補間動作、フィルタリング動作、コーディング動作、および位相シフト動作が、SV*情報を再構成するために実行され得る。上で注記したように、いくつかの例において、この圧縮解除されたフィードバック情報は、AP 105-dのメモリ410内に記憶される。
【０１０８】
1つのオプションに従って、ブロック525において、AP 105-dのSNR勾配推定器330-bが、受信されたフィードバックSNR値および受信された圧縮されたフィードバック行列に少なくとも部分的に基づいて、ステーションの1つまたは複数のSNR勾配メトリックを判定する。ステーションおよび複数のステーションのSNR勾配メトリックは、図1〜図3Bで説明した原理に従って判定される。いくつかの例において、SNR勾配推定器330-bは、特定のタイムインターバルに関連する複数のSNR勾配値の平均をとることによって、ステーションの1つまたは複数のSNR勾配メトリックを判定する。
【０１０９】
ブロック530において、ドップラ勾配推定器340-bが、ステーションの1つまたは複数のSNR勾配メトリックに少なくとも部分的に基づいてドップラ勾配メトリックを判定する。同様に、ドップラ勾配推定器340-bは、複数のステーションの各々のSNR勾配メトリックに少なくとも部分的に基づいてドップラ勾配メトリックを判定する。ステーションおよび複数のステーションのドップラ勾配メトリックは、図1〜図3Bで説明した原理に従って判定される。
【０１１０】
1つのオプションに従って、ブロック535において、SNR勾配推定器330-bが、ステーションのシングルユーザ送信に関連する1つまたは複数のシングルユーザSNR勾配メトリックを判定し、次に、ドップラ勾配推定器340-bが、シングルユーザSNR勾配メトリックに少なくとも部分的に基づいてシングルユーザドップラ勾配メトリックを判定する。別のオプションによれば、SNR勾配推定器330-bは、ステーションのマルチユーザ送信に関連する1つまたは複数のマルチユーザSNR勾配メトリックを判定し、次に、ドップラ勾配推定器340-bは、マルチユーザSNR勾配メトリックに少なくとも部分的に基づいてマルチユーザドップラ勾配メトリックを判定する。さらに別のオプションにおいて、ブロック535において、SNR勾配推定器330-bは、異なる個数のステーションに関連するマルチユーザ送信の異なる第1のマルチユーザSNR勾配メトリック(たとえば、合計2つのステーションを有するマルチユーザ送信のMU-2 SNR勾配メトリック、合計3つのステーションを有するマルチユーザ送信のMU-3 SNR勾配メトリック、合計4つのステーションを有するマルチユーザ送信のMU-4 SNR勾配メトリック、…、合計7つのステーションを有するマルチユーザ送信のMU-7 SNR勾配メトリック、および/または合計8つのステーションを有するマルチユーザ送信のMU-8 SNR勾配メトリック)を判定する。
【０１１１】
ドップラ勾配メトリックを使用するAP 105-dに関して、ブロック540において、MUグループ化マネージャ435が、第1のオプションによるドップラ勾配メトリックの分類に少なくとも部分的に基づいてステーションのマルチユーザ送信グループを形成する。いくつかの場合に、MUグループ化マネージャ435は、マルチユーザ送信グループ内の各ステーションがドップラ勾配メトリックの同一の分類を有するように、マルチユーザ送信グループをスケジューリングする。第2のオプションによれば、ブロック545において、サウンディングマネージャ430が、ドップラ勾配メトリックの分類に少なくとも部分的に基づいて、ステーションのサウンディング手順インターバルを変更する。第3のオプションによれば、ブロック550において、MCSマネージャ440が、ドップラ勾配メトリックの分類に少なくとも部分的に基づいて、ステーションの変調およびコーディング方式をセットする。
【０１１２】
ブロック555において、いくつかの例によれば、AP 105-eが、判定されたドップラ勾配メトリックに少なくとも部分的に基づいて、マルチユーザ送信グループまたはステーションからのシングルユーザ送信を送信する。
【０１１３】
添付図面に関連して上で示された詳細な説明は、例を説明し、実施され得るまたは特許請求の範囲の範囲内にある例のみを表すものではない。「例」および「例示的」という用語は、この説明で使用されるときに、「例、事例、または例示として機能すること」を意味し、「好ましい」または「他の例よりも有利である」ことを意味しない。詳細な説明は、説明される技法の理解を提供するために特定の詳細を含む。しかし、これらの技法は、これらの具体的な詳細を伴わずに実践されてもよい。いくつかの事例において、説明した例の概念を不明瞭にすることを避けるために、よく知られている構造およびデバイスがブロック図の形で示されている。
【０１１４】
情報および信号は、様々な異なる技術および技法のいずれかを使用して表現され得る。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されてよい。
【０１１５】
本明細書の開示に関連して説明される様々な例のブロックおよび構成要素は、汎用プロセッサ、デジタル信号プロセッサ(DSP)、ASIC、FPGAもしくは他のプログラム可能論理デバイス、ディスクリートゲート論理もしくはディスクリートトランジスタ論理、ディスクリートハードウェア構成要素、または本明細書で説明される機能を実行するように設計されたその任意の組合せを用いて実施されまたは実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、DSPおよびマイクロプロセッサの組合せ、複数のマイクロプロセッサ、DSPコアに関連する1つまたは複数のマイクロプロセッサ、または任意の他のそのような構成としても実施され得る。
【０１１６】
本明細書内で説明される機能は、ハードウェア、プロセッサによって実行されるソフトウェア、ファームウェア、またはその任意の組合せにおいて実施され得る。プロセッサによって実行されるソフトウェアで実施される場合に、機能は、1つまたは複数の命令またはコードとしてコンピュータ可読媒体上に記憶されるか、またはコンピュータ可読媒体を介して送信され得る。他の例および実施態様は、本開示および添付の特許請求の範囲の範囲および趣旨に含まれる。たとえば、ソフトウェアの性質に起因して、上で説明される機能は、プロセッサによって実行されるソフトウェア、ハードウェア、ファームウェア、ハードワイヤリング、またはこれらのうちのいずれかの組合せを使用して実施され得る。機能を実現する特徴はまた、機能の部分が異なる物理的場所において実現されるように分散することを含む、種々の位置に物理的に位置することができる。特許請求の範囲内を含む、本明細書において使用されるときに、「および/または」という用語は、2つ以上の項目のリストにおいて使用されるとき、列挙される項目のうちのいずれか1つを単独で利用できること、または列挙される項目のうちの2つ以上からなる任意の組合せを利用できることを意味する。たとえば、構成が、構成要素A、B、および/またはCを含むものとして説明される場合には、その構成は、A単体、B単体、C単体、AとBとの組合せ、AとCとの組合せ、BとCとの組合せ、またはA、B、およびCの組合せを含むことができる。また、特許請求の範囲内を含む、本明細書において使用されるときに、項目のリスト(たとえば、「のうちの少なくとも1つ」または「のうちの1つまたは複数」などの句で始まる項目のリスト)において使用される「または」は、たとえば、「A、B、またはCのうちの少なくとも1つ」のリストがAまたはBまたはCまたはABまたはACまたはBCまたはABC(すなわち、AおよびBおよびC)を意味するような、選言的リストを示す。
【０１１７】
コンピュータ可読媒体は、コンピュータ記憶媒体と、ある場所から別の場所へのコンピュータプログラムの転送を容易にする任意の媒体を含む通信媒体との両方を含む。記憶媒体は、汎用コンピュータまたは特殊目的コンピュータによってアクセスされ得る任意の使用可能な媒体とされ得る。限定ではなく例として、コンピュータ可読媒体は、RAM、ROM、EEPROM、フラッシュメモリ、CD-ROMもしくは他の光ディスクストレージ、磁気ディスクストレージもしくは他の磁気ストレージデバイス、または、命令もしくはデータ構造の形で所望のプログラムコード手段を担持しまたは記憶するのに使用され得る、汎用コンピュータもしくは特殊目的コンピュータ、もしくは汎用プロセッサもしくは特殊目的プロセッサによってアクセスされ得る任意の他の媒体を含むことができる。また、すべての接続は、当然、コンピュータ可読媒体と呼ばれる。たとえば、ソフトウェアが、ウェブサイト、サーバ、または他のリモートリソースから、同軸ケーブル、光ファイバケーブル、より対線、デジタル加入者回線(DSL)、または赤外線、無線、およびマイクロ波などのワイヤレス技術を使用して送信される場合に、同軸ケーブル、光ファイバケーブル、より対線、DSL、または赤外線、無線、およびマイクロ波などのワイヤレス技術は、媒体の定義に含まれる。ディスク(disk)およびディスク(disc)は、本明細書で使用されるときに、コンパクトディスク(disc)(CD)、レーザディスク(disc)、光ディスク(disc)、デジタル多用途ディスク(disc)(DVD)、フロッピディスク(disk)、およびブルーレイディスク(disc)を含み、ディスク(disk)は通常は磁気的にデータを再生し、ディスク(disc)はレーザを用いて光学的にデータを再生する。上記の組合せも、コンピュータ可読媒体の範囲内に含まれる。
【０１１８】
本開示の前の説明は、当業者が本開示を作りまたは使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明される例および設計に限定されるのではなく、本明細書で開示される原理および新規の特徴と一貫する最も広い範囲に一致されなければならない。
【符号の説明】
【０１１９】
100  ワイヤレスローカルエリアネットワーク(WLAN)
105  アクセスポイント(AP)
105-a  AP
105-b  AP
105-c  AP
105-d  AP
105-e  AP
110  STA
110-a  STA-1
110-b  STA-1
110-c  STA-2
110-d  STA-n
110-e  STA
110-f  STA
110-g  STA
115  通信リンク
120  直接ワイヤレス通信リンク
125  カバレージエリア
200  ワイヤレス通信シナリオ
202  第1の時刻および位置
204  第2の時刻および位置
206  第3の時刻および位置
222  送信アンテナ
233  受信アンテナ
300-a  ブロック図
300-b  ブロック図
325  デコンプレッサ
325-a  デコンプレッサ
325-b  デコンプレッサ
330  SNR勾配推定器
330-a  SNR勾配推定器
330-b  SNR勾配推定器
330-c  SNR勾配推定器
340  ドップラ勾配推定器
340-a  ドップラ勾配推定器
340-b  ドップラ勾配推定器
340-c  ドップラ勾配推定器
350  ビームフォーミングステアリング行列判定器
350-a  ビームフォーミングステアリング行列判定器
350-b  ビームフォーミングステアリング行列判定器
350-c  ビームフォーミングステアリング行列判定器
360  送信器
360-a  送信器
400-a  ブロック図
400-b  ブロック図
405  プロセッサ
405-a  プロセッサ
410  メモリ
410-a  メモリ
415  コンピュータ可読コンピュータ実行可能ソフトウェア(SW)コード
420  トランシーバ
425  アンテナ
430  サウンディングマネージャ
430-a  サウンディングマネージャ
435  MUグループ化マネージャ
435-a  MUグループ化マネージャ
440  MCSマネージャ
440-a  MCSマネージャ
445  バス
500  方法
【図１】
2018530946.tif 000015
【図２】
2018530946.tif 000016
【図３Ａ】
2018530946.tif 000017
【図３Ｂ】
2018530946.tif 000018
【図４Ａ】
2018530946.tif 000019
【図４Ｂ】
2018530946.tif 000020
【図５】
2018530946.tif 000021
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
第1のワイヤレスデバイスによって、時間の期間にわたってステーションからビームフォーミング情報レポートを受信するステップであって、各ビームフォーミング情報レポートは、フィードバック信号対雑音比(SNR)値および圧縮されたフィードバック行列を含む、ステップと、
前記ステーションの2つのビームフォーミング情報レポートの間のSNRの変化を判定するステップであって、前記変化は、前記受信されたフィードバックSNR値および前記受信された圧縮されたフィードバック行列に少なくとも部分的に基づいて判定される、ステップと
を含む、ワイヤレス通信のための方法。
【請求項２】
前記2つのビームフォーミング情報レポートの間の前記SNRの変化に少なくとも部分的に基づいてドップラ勾配メトリックを判定するステップ
をさらに含む、請求項1に記載の方法。
【請求項３】
前記ドップラ勾配メトリックの分類に少なくとも部分的に基づいて前記ステーションの変調およびコーディング方式をセットするステップ
をさらに含む、請求項2に記載の方法。
【請求項４】
前記ドップラ勾配メトリックの分類に少なくとも部分的に基づいて前記ステーションのサウンディング手順インターバルを変更するステップ
をさらに含む、請求項2に記載の方法。
【請求項５】
前記ドップラ勾配メトリックの分類に少なくとも部分的に基づいて前記ステーションのマルチユーザ送信グループを形成するステップ
をさらに含む、請求項2に記載の方法。
【請求項６】
前記ステーションの前記SNRの変化を判定するステップは、特定のタイムインターバルに関連する複数のSNR値の平均をとるステップを含む、請求項1に記載の方法。
【請求項７】
前記ステーションの前記SNRの変化を判定するステップは、シングルユーザ送信に関連するシングルユーザSNRを判定するステップを含む、請求項1に記載の方法。
【請求項８】
前記ステーションの前記SNRの変化を判定するステップは、マルチユーザ送信に関連するマルチユーザSNRを判定するステップを含む、請求項1に記載の方法。
【請求項９】
前記ステーションの前記SNRの変化を判定するステップは、異なる個数のステーションに関連するマルチユーザ送信の異なるマルチユーザSNRを判定するステップを含む、請求項1に記載の方法。
【請求項１０】
前記時間の期間にわたって受信される前記ステーションからの前記ビームフォーミング情報レポートは、前記ステーションに関連する複数のサウンディング手順に関連する、請求項1に記載の方法。
【請求項１１】
前記時間の期間にわたって前記ステーションから受信される前記フィードバックSNR値および受信された圧縮されたフィードバック行列を記憶するステップ
をさらに含む、請求項1に記載の方法。
【請求項１２】
時間の期間にわたってステーションからビームフォーミング情報レポートを受信するトランシーバであって、各ビームフォーミング情報レポートは、フィードバック信号対雑音比(SNR)値および圧縮されたフィードバック行列を含む、トランシーバと、
前記ステーションの2つのビームフォーミング情報レポートの間のSNRの変化を判定するSNR推定器であって、前記変化は、前記受信されたフィードバックSNR値および前記受信された圧縮されたフィードバック行列に少なくとも部分的に基づいて判定される、SNR推定器と
を含む通信デバイス。
【請求項１３】
前記2つのビームフォーミング情報レポートの間の前記SNRの変化に少なくとも部分的に基づいてドップラ勾配メトリックを判定するドップラ勾配推定器
をさらに含む、請求項12に記載の通信デバイス。
【請求項１４】
前記ドップラ勾配メトリックの分類に少なくとも部分的に基づいて前記ステーションの変調およびコーディング方式をセットする変調およびコーディング方式マネージャ
をさらに含む、請求項13に記載の通信デバイス。
【請求項１５】
前記ドップラ勾配メトリックの分類に少なくとも部分的に基づいて前記ステーションのサウンディング手順インターバルを変更するサウンディングマネージャ
をさらに含む、請求項13に記載の通信デバイス。
【請求項１６】
前記ドップラ勾配メトリックの分類に少なくとも部分的に基づいて前記ステーションのマルチユーザ送信グループを形成するマルチユーザグループ化マネージャ
をさらに含む、請求項13に記載の通信デバイス。
【請求項１７】
前記ステーションの前記SNRの変化を判定する前記SNR推定器は、さらに、特定のタイムインターバルに関連する複数のSNRの平均をとるためのものである、請求項12に記載の通信デバイス。
【請求項１８】
前記ステーションの前記SNRの変化を判定する前記SNR推定器は、さらに、シングルユーザ送信に関連するシングルユーザSNRを判定するためのものである、請求項12に記載の通信デバイス。
【請求項１９】
前記ステーションの前記SNRの変化を判定する前記SNR推定器は、さらに、マルチユーザ送信に関連するマルチユーザSNRを判定するためのものである、請求項12に記載の通信デバイス。
【請求項２０】
前記ステーションの前記SNRの変化を判定する前記SNR推定器は、さらに、異なる個数のステーションに関連するマルチユーザ送信の異なるマルチユーザSNRを判定するためのものである、請求項12に記載の通信デバイス。
【請求項２１】
前記時間の期間にわたって受信される前記ステーションからの前記ビームフォーミング情報レポートは、前記ステーションに関連する複数のサウンディング手順に関連する、請求項12に記載の通信デバイス。
【請求項２２】
前記時間の期間にわたって前記ステーションから受信される前記フィードバックSNR値および受信された圧縮されたフィードバック行列を記憶するメモリ
をさらに含む、請求項12に記載の通信デバイス。
【請求項２３】
時間の期間にわたってステーションからビームフォーミング情報レポートを受信するための手段であって、各ビームフォーミング情報レポートは、フィードバック信号対雑音比(SNR)値および圧縮されたフィードバック行列を含む、手段と、
前記ステーションの2つのビームフォーミング情報レポートの間のSNRの変化を判定するための手段であって、前記変化は、前記受信されたフィードバックSNR値および前記受信された圧縮されたフィードバック行列に少なくとも部分的に基づいて判定される、手段と
を含む、通信デバイス。
【請求項２４】
前記2つのビームフォーミング情報レポートの間の前記SNRの変化に少なくとも部分的に基づいてドップラ勾配メトリックを判定するための手段
をさらに含む、請求項23に記載の通信デバイス。
【請求項２５】
前記ドップラ勾配メトリックの分類に少なくとも部分的に基づいて前記ステーションの変調およびコーディング方式をセットするための手段
をさらに含む、請求項24に記載の通信デバイス。
【請求項２６】
前記ドップラ勾配メトリックの分類に少なくとも部分的に基づいて前記ステーションのサウンディング手順インターバルを変更するための手段
をさらに含む、請求項24に記載の通信デバイス。
【請求項２７】
前記ドップラ勾配メトリックの分類に少なくとも部分的に基づいて前記ステーションのマルチユーザ送信グループを形成するための手段
をさらに含む、請求項24に記載の通信デバイス。
【請求項２８】
前記ステーションの前記SNRの変化を判定するための前記手段は、特定のタイムインターバルに関連する複数のSNR値の平均をとるための手段を含む、請求項23に記載の通信デバイス。
【請求項２９】
ワイヤレス通信のためのコードを記憶する非一時的コンピュータ可読記憶媒体であって、前記コードは、少なくとも1つの通信デバイスに、
時間の期間にわたってステーションからビームフォーミング情報レポートを受信させ、各ビームフォーミング情報レポートは、フィードバック信号対雑音比(SNR)値および圧縮されたフィードバック行列を含み、
前記ステーションの2つのビームフォーミング情報レポートの間のSNRの変化を判定させ、前記判定は、前記受信されたフィードバックSNR値および前記受信された圧縮されたフィードバック行列に少なくとも部分的に基づく
ために実行可能な命令を含む、非一時的コンピュータ可読記憶媒体。
【請求項３０】
前記コードは、前記少なくとも1つの通信デバイスに、
前記2つのビームフォーミング情報レポートの間の前記SNRの変化に少なくとも部分的に基づいてドップラ勾配メトリックを判定させる
ために実行可能な命令をさらに含む、請求項29に記載の非一時的コンピュータ可読記憶媒体。
【国際調査報告】
2018530946.tif 000022
2018530946.tif 000023
2018530946.tif 000024